(57)【要約】      （修正有）【課題】より衛生的に保ちながら、好気性微生物による生ごみの分解を効率良く行える生ごみ処理装置を提供する。【解決手段】生ごみ処理装置１０は、生ごみと分解基材とが混合される容器本体１と、容器本体１を支える台座２と台座２の上に設置された容器本体１の中心を通る回転棒３とを備えている。容器本体１を通る回転棒３を回転中心として小さな回転力で容器本体１自体が回転し易い構造で、撹拌するための撹拌羽や回転ハンドルがなくても投入した生ごみと内部のバイオチップとの混合もし易い特徴があり、空気を取り込む効果も高まり好気性分解力が向上し、生ごみの腐敗を防ぎつつ分解が促進され生ごみの容量を減らせる。又、使用済みの際には、容器本体１ごと燃えるごみとして家庭用ごみとして処分でき、新しい段ボール製の容器本体を組立てて簡単に再利用できる効果がある。【選択図】図１
0003197533.tif 000002
【実用新案登録請求の範囲】
【請求項１】
生ごみと分解基材とが混合される容器本体と、容器本体を支える台座と、台座の上に設置されて容器本体の中心を通る回転棒とを備え、容器本体は回転棒を回転中心として回転することを特徴とする生ごみ処理装置。
【請求項２】
容器本体側面が６角形であることを特徴とする請求項１記載の生ごみ処理装置。
【請求項３】
容器本体は段ボールによって形成されていることを特徴とする請求項１または請求項２記載の生ごみ処理装置。
【請求項４】
前記容器本体の１面の一部に３方向切り込みが設けられて、ごみ投入口が形成されていることを特徴とする請求項１から３のいずれかに記載の生ごみ処理装置。
【請求項５】
前記容器本体に設けられた、ごみ投入口に対して内蓋が取付けられていることを特徴とする請求項４記載の生ごみ処理装置。
【請求項６】
内蓋は、不透明であることを特徴とする請求項５記載の生ごみ処理装置。
【考案の詳細な説明】
【技術分野】
【０００１】
本考案は、生ごみ処理装置に関する。
【背景技術】
【０００２】
従来の生ごみ処理機は、撹拌羽により手動または機械的に撹拌して生ごみと分解基材を混ぜるものと、段ボール箱内においてショベルで混ぜるものがあり、土壌菌や発酵を促進させるための活性菌と併用するものが大半である。
前述のものは、容器が汚れて不衛生になったり機械的な故障が多発したりして装置を処分する際にも産業廃棄物としての扱いとなるため処分も困難である。
後述のショベルで混ぜる方式では撹拌が不足して分解に時間がかかるという問題がある。更に、プラスチック製の堆肥化容器については、嫌気性発酵によるため分解が遅く、ウジが大量発生するなどの課題もある。
【先行技術文献】
【特許文献】
【０００３】
【特許文献１】実用新案登録  第３１７３１０７号
【考案の概要】
【考案が解決しようとする課題】
【０００４】
本来、毎日発生する家庭での生ごみの処理は主婦による作業が多く、簡単でより衛生的に処理されることが求められている。耐久性の高いプラスチック製や機械式の処理機は容器が汚れてしまい易く、不衛生で基材の交換時にも作業が困難である。また、段ボール箱を活用して堆肥化する方式では、ショベルなどの手混ぜによるため撹拌不足となり好気性微生物による発酵がしにくく分解速度も遅くなり、生ごみが腐敗してしまい悪臭が発生しウジが大量発生する。更に、満杯になった容器には数ヶ月間生ごみは投入できないため、廃棄するのも困難で少なくとも２個以上の併用が必要となる場合もある。
【０００５】
そこで、この考案はより衛生的に保ちながら、好気性微生物による生ごみの分解を効率良く行える段ボール式生ごみ処理装置を提供することを課題とする。
【課題を解決するための手段】
【０００６】
以上の課題を解決するために、本考案の段ボール式生ごみ処理装置は、生ごみと分解基材とが混合される容器本体と、容器本体を支える台座と、台座の上に設置された容器本体の中心を通る回転棒とを備え、容器本体は回転棒を回転中心として手動で小さな力でも回転することを特徴とする。
【０００７】
本考案の生ごみ処理装置において、容器本体側面は６角形であることが好ましい。
【０００８】
本考案の生ごみ処理装置において、容器本体は段ボールによって形成されていることが好ましい。
【０００９】
本考案の生ごみ処理装置において、容器本体に設けられた投入口の内部には内蓋が取付けられていることが好ましい。
【００１０】
本考案の生ごみ処理容器において、内蓋は不透明であることが好ましい。
【考案の効果】
【００１１】
以上の考案による効果としては、本考案の生ごみ処理装置で、容器本体を通る回転棒を回転中心として容器本体自体を小さな回転力で回転し易くしたことで、撹拌するための撹拌羽や回転ハンドルがなくても、生ごみを投入した後に容器本体内部のバイオチップとの混合もし易くなり、空気を取り込む効果も高まるため、好気性分解力が向上し生ごみの腐敗を防ぎつつ分解が促進され生ごみの容量を減らす効果があり、更に撹拌羽や回転ハンドルがないので構造が軽量で小型化できる効果がある。
【００１２】
本考案の生ごみ処理装置において、回転棒を中心にした方向から見たときの容器本体側面が奇数の形状の場合だと回転するときの重心がとりにくく、偶数のときでも４角形だとやはりバランスが悪く回転しにくい。又偶数の８角形だと、投入した内部基材が底に留まり易くなってしまい混ざりにくくなる。そこで形状を６角形にしたことで、回転するときのバランスもよく、内部に投入した生ごみと分解基材も混合され易くなり、撹拌羽を動力や手動式のハンドルで回転させて混合する方式よりも撹拌のむらが少なくてすむ効果がある。
【００１３】
本考案の生ごみ処理装置において、容器本体を組立て式の段ボール製にしたことで、展開した状態で保管できて必要に応じ簡単に組立てて使用できる効果がある。
【００１４】
本考案の生ごみ処理装置において、容器本体を組立て式の段ボール製にしたことで空気が取込み易く、容器内部に溜まったガスや水蒸気を容器外部に発散させ易くなるため、水分過多によるバイオチップの粘着化を抑える効果がある。
【００１５】
本考案の生ごみ処理装置において、投入口内部に内蓋を取付けることで、容器本体を回転させても投入した生ごみや内部の基材の自重作用で、容器から内容物が漏れにくくなり、外蓋の止め部分も簡易な構造ですむ効果がある。
【００１６】
本考案の生ごみ処理装置において、内蓋を不透明にすることで生ごみ投入時に内容物が見えにくくできる効果がある。
【００１７】
本考案の生ごみ処理装置において、使用済みの内部基材は竹パウダー入り生ごみ土壌改良剤として再利用することができる効果がある。
【００１８】
本考案の生ごみ処理装置において、容器本体を組立て式の段ボール製の市販のゴミ袋に入る大きさにしたことで、使用済み基材を土壌改良剤として再利用しない場合でも容器本体ごと家庭用の燃えるゴミとして処分でき、取扱いが容易になる効果がある。
【図面の簡単な説明】
【００１９】
【図１】この考案の実施形態を示す斜視図である。
【図２】この考案の実施形態を示す正面図である。
【図３】この考案の実施形態を示す側面図である。
【図４】従来技術を示す斜視図である。
【考案を実施するための形態】
【００２０】
この考案の実施形態を、図１〜図４に基づいて説明する。
【実施例１】
【００２１】
生ごみ処理装置の容器本体１は、生ごみと分解基材とが混合されるものであり、側面Aが６角形の段ボール製のものである。
【００２２】
台座２は、容器本体１を支えるものであり、台座２の上に配置される容器本体１の中心を回転棒３が通っている。容器本体１は、回転棒３を回転中心として回転する。
【００２３】
設置時には、生ごみ処理容器１内部の１/３くらいの深さまでは図３正面図に示すとおり、あらかじめバイオチップを入れておき、水を５００ｃｃ散布する。
【００２４】
使用時は蓋４を開け、生ごみ処理容器１内部に生ごみを投入し、蓋４を閉めて処理容器本体１を手動により回転させ内部のバイオチップと混合する。
【００２５】
ごみ投入口７にはフィルム製又はダンボール製の内蓋５が設けられており、処理機本体１の内部は見えにくく、処理機本体１の内部基材も外部へ漏れにくくなっている。
【００２６】
分解処理能力が低下してきたら、容器本体１ごと台座からはずしてそのまま市販のごみ袋に入れて燃えるごみとして処分するか、土壌改良材として有効活用する。
【００２７】
新しい段ボール製の本体を組立て、上記の作業を繰り返す。
【符号の説明】
【００２８】
１  生ごみ処理容器
２  台座
３  回転棒
４  蓋
５  内蓋
６  止め具
７  ごみ投入口
１０  生ごみ処理装置
A  側面
【図１】
0003197533.tif 000003
【図２】
0003197533.tif 000004
【図３】
0003197533.tif 000005
【図４】
0003197533.tif 000006